(57)【要約】      （修正有）【課題】測定器において正確な測定時刻の記録を維持するために求められるユーザの設定操作を簡素化する。【解決手段】測定装置１０は、第１の時刻を提供する第１計時部１と、第２の時刻を提供する第２計時部２と、前記第１の時刻又は前記第２の時刻の少なくとも１つを測定時刻情報として、測定値と対応付けて記録する記録制御部４１と、外部から取得した基準時刻を示す情報に基づいて、第１の時刻、第２の時刻、又は、第１の時刻及び第２の時刻の双方を修正する時刻修正部４２と、時刻修正部４２が時刻を修正する際に、修正対象とする時刻を制御する修正制御部４３とを備える。【選択図】図１
2014190842.tif 000002
【特許請求の範囲】
【請求項１】
第１の時刻を示す情報を提供する第１計時部と、
第２の時刻を示す情報を提供する第２計時部と、
測定値を取得して、前記第１の時刻又は前記第２の時刻の少なくとも１つを測定時刻情報として、前記測定値と前記測定時刻情報を対応付けて記録する記録制御部と、
外部から取得した基準時刻を示す情報に基づいて、前記第１計時部が提供する前記第１の時刻、前記第２計時部が提供する前記第２の時刻、又は、前記第１の時刻及び前記第２の時刻の双方を修正する時刻修正部と、
前記時刻修正部が前記基準時刻を示す情報に基づいて時刻を修正する際に、修正対象とする時刻を制御する修正制御部とを備える、測定装置。
【請求項２】
前記修正制御部は、前記外部から取得した情報が示す基準時刻と前記第１の時刻との差に基づいて、前記修正対象の時刻を制御する、請求項１に記載の測定装置。
【請求項３】
前記修正制御部は、ユーザからの入力に基づいて、前記時刻修正部の修正対象の時刻を決定する、請求項１又は２に記載の測定装置。
【請求項４】
前記修正制御部は、前記外部から取得した情報が示す基準時刻と前記第１の時刻との差が、予め決められた値より大きい場合に、前記時刻修正部による修正対象をいずれにするかの指示をユーザから受け付ける、請求項１〜３のいずれか１項に記載の測定装置。
【請求項５】
前記時刻修正部は、前記測定装置が外部機器と有線又は無線により接続されたことを契機として、前記外部機器から基準時刻を示す情報を取得する、請求項１〜４のいずれか１項に記載の測定装置。
【請求項６】
前記時刻修正部は、測定装置が、測定を行うためのセンサと有線又は無線により接続されたことを契機として、外部から基準時刻を示す情報を取得する、請求項１〜４のいずれか１項に記載の測定装置。
【請求項７】
前記記録制御部が測定時刻情報として前記測定値と対応付けて記録する時刻を、前記第１の時刻、前記第２の時刻、又は、前記第１の時刻及び前記第２の時刻の双方のうち、どれにするかを切り替える切替部をさらに備える、請求項１〜６のいずれか１項に記載の測定装置。
【請求項８】
前記切替部は、前記第１の時刻と前記第２の時刻との差が所定の値より大きい場合に、前記第１の時刻及び前記第２の時刻の双方を測定値と対応付けて記録するように切り替える、請求項７に記載の測定装置。
【請求項９】
前記修正制御部は、前記外部から取得した情報が示す基準時刻と前記第１の時刻との差が、予め決められた値Ｔ１より大きい場合は、前記修正部による修正対象を前記第１の時刻のみとし、前記差が、前記値Ｔ１より小さい場合は、前記修正部による修正対象を前記第１の時刻及び前記第２の時刻とするか又はいずれも修正しないとする、請求項１に記載の測定装置。
【請求項１０】
前記修正制御部は、前記第１の時刻と前記第２の時刻との差が前記値Ｔ１より大きい状態のときに前記基準時刻に基づいて前記第１の時刻を修正すると前記第１の時刻と前記第２の時刻の差が予め決められた値Ｔ２より小さくなる場合に、前記第１の時刻と前記第２の時刻の双方を前記基準時刻に基づいて修正するように前記時刻修正部を制御する、請求項９に記載の測定装置。
【請求項１１】
過去に記録した測定時刻と、前記第１の時刻又は前記第２の時刻を比較することにより、前記第１計時部又は前記第２計時部の提供する時刻に異常がないか判定し、異常があると判定した場合は、前記時刻修正部へ時刻修正の指示を出力する監視部をさらに備えた、請求項１〜１０のいずれか１項に記載の測定装置。
【請求項１２】
第１の時刻を示す情報を提供する第１計時部と、
第２の時刻を示す情報を提供する第２計時部と、
測定値を取得して、前記第１の時刻又は前記第２の時刻の少なくとも１つを測定時刻情報として、前記測定値と前記測定時刻情報を対応付けて記録する記録制御部と、
外部から取得した基準時刻を示す情報に基づいて、修正対象の時刻を、前記第１計時部が提供する前記第１の時刻、前記第２計時部が提供する前記第２の時刻、又は、前記第１の時刻及び前記第２の時刻の双方を修正する時刻修正部とを備え、
前記時刻修正部は、修正対象とする時刻を、外部から取得した制御情報に基づいて決定する、測定装置。
【請求項１３】
第１の時刻を示す情報を提供する第１計時部と、第２の時刻を示す情報を提供する第２計時部と通信可能なコンピュータにより実行される測定方法であって、
測定値を取得して、前記第１の時刻又は前記第２の時刻の少なくとも１つを測定時刻情報として、前記測定値と前記測定時刻情報を対応付けて記録する記録制御ステップと、
外部から取得した基準時刻を示す情報に基づいて、前記第１計時部が提供する前記第１の時刻、前記第２計時部が提供する前記第２の時刻、又は、前記第１の時刻及び前記第２の時刻の双方を修正する時刻修正ステップと、
前記時刻修正ステップにおいて前記基準時刻を示す情報に基づいて時刻を修正する際に、修正対象とする時刻を制御する修正制御ステップとを有する、測定方法。
【請求項１４】
第１の時刻を示す情報を提供する第１計時部と、第２の時刻を示す情報を提供する第２計時部と通信可能なコンピュータにより実行させる測定プログラムであって、
測定値を取得して、前記第１の時刻又は前記第２の時刻の少なくとも１つを測定時刻情報として、前記測定値と前記測定時刻情報を対応付けて記録する記録制御処理と、
外部から取得した基準時刻を示す情報に基づいて、前記第１計時部が提供する前記第１の時刻、前記第２計時部が提供する前記第２の時刻、又は、前記第１の時刻及び前記第２の時刻の双方を修正する時刻修正処理と、
前記時刻修正処理において前記基準時刻を示す情報に基づいて時刻を修正する際に、修正対象とする時刻を制御する修正制御処理とをコンピュータに実行させる、測定プログラム。
【発明の詳細な説明】
【技術分野】
【０００１】
本願の開示は、測定値とともに時刻情報を記録する技術に関する。
【背景技術】
【０００２】
従来、測定値を時刻情報とともに記録する機能を持つ測定装置が開発されてきた。例えば、下記特許文献１には、血糖計等の測定器に、センサ部が取得した情報を蓄積可能な形式のデータに変換して測定日時を付けて記憶し、測定器がコンピュータへ接続されたときに、測定器のデータをコンピュータが読み取るシステムが開示されている。
【０００３】
簡易血糖計のような測定器は、多くの場合、内部に日時を示す情報を提供するカレンダー機能を備えている。測定した値と共にその日時が記憶される。この日時の情報は、ユーザが後で測定値を見返したり、ＰＣ上のアプリケーションで測定値の推移などを確認したりする際に有効に使用される。例えば、血糖値測定の場合、その日時の情報により、ユーザは、その血糖値がいつ測定されたのかはもちろんのこと、どのような状態（例えば食前だったのか食後だったのか等）で血糖測定を行ったかを推し量ることができる。また、ＰＣ上のアプリケーションでデータをグラフ化する際に、日時の情報が非常に有効に用いられる。
【０００４】
下記特許文献２には、カレンダー設定や時刻設定等の各種設定を変更する機能を備えた測定器が開示されている。また、下記特許文献３には、時刻情報を内容とした信号電波に基づいて、時刻を補正しつつ計数する時計手段を備えた測定器が開示されている。
【先行技術文献】
【特許文献】
【０００５】
【特許文献１】国際公開第ＷＯ０１／０８８７６４
【特許文献２】特開２００５−１４７６８８号公報
【特許文献３】特開平１１−２８１７７９号公報
【発明の概要】
【発明が解決しようとする課題】
【０００６】
測定器のカレンダー機能が、電池の消耗やユーザの操作ミスなどで一旦リセットされてしまった場合、ユーザが手動（マニュアル操作）にて再設定する必要がある。その操作は、ユーザにとって非常に面倒なものである場合が多い。また、カレンダーがリセットされているのに気付かないまま測定を行ってしまうと、でたらめな日時が記憶されることとなり、ユーザにとっては非常に困ったことになる。これに対して、例えば、上記特許文献３のように、信号電波に基づいて補正しつつ計数された時刻を測定時刻として記憶することができる。しかし、このように時刻を自動的に補正する場合にも、データ管理上、様々な不都合が生じる場合がある。例えば、測定器が時差のある海外へ移動した場合や、補正の基となる時刻も正確でない場合などには、辻褄の合わない測定時刻が記録され得る。これを回避するためには、ユーザによる複雑な設定操作が必要となる。
【０００７】
そのため、本発明は、測定器において正確な測定時刻の記録を維持するために求められるユーザの設定操作を簡素化することを目的とする。
【課題を解決するための手段】
【０００８】
本発明の一実施形態における測定装置は、第１の時刻を示す情報を提供する第１計時部と、第２の時刻を示す情報を提供する第２計時部と、測定値を取得して、前記第１の時刻又は前記第２の時刻の少なくとも１つを測定時刻情報として、前記測定値と前記測定時刻情報を対応付けて記録する記録制御部と、外部から取得した基準時刻を示す情報に基づいて、前記第１計時部が提供する前記第１の時刻、前記第２計時部が提供する前記第２の時刻、又は、前記第１の時刻及び前記第２の時刻の双方を修正する時刻修正部と、前記時刻修正部が前記基準時刻を示す情報に基づいて時刻を修正する際に、修正対象とする時刻を制御する修正制御部とを備える。
【発明の効果】
【０００９】
本願開示によれば、測定器において正確な測定時刻の記録を維持するために求められるユーザの設定操作を簡素化することが可能になる。
【図面の簡単な説明】
【００１０】
【図１】図１は、実施形態１における測定装置の構成例を示す機能ブロック図である。
【図２】図２は、測定装置の記録制御部の動作例を示すフローチャートである。
【図３】図３は、時刻修正部及び修正制御部の動作例を示すフローチャートである。
【図４】図４は、時刻修正部及び修正制御部の他の動作例を示すフローチャートである。
【図５】図５は、時刻修正部及び修正制御部のさらに他の動作例を示すフローチャートである。
【図６】図６は、実施形態２における測定装置の構成例を示す機能ブロック図である。
【図７】図７は、実施形態２における時刻修正部、修正制御部及び切替部の動作例を示すフローチャートである。
【図８Ａ】図８Ａは、切替部７の動作例を示すフローチャートである。
【図８Ｂ】図８Ｂは、切替部７の他の動作例を示すフローチャートである。
【図９】図９は、実施形態３における測定装置の構成例を示す機能ブロック図である。
【図１０】図１０は、実施形態３の測定装置の動作例を示すフローチャートである。
【図１１】図１１は、実施形態４における測定装置の構成例を示す機能ブロック図である。
【図１２Ａ】図１２Ａは、測定装置として採用可能な医療機器の例を示す斜視図である。
【図１２Ｂ】測定装置と携帯機器の接続態様の一例を示す図である。
【図１２Ｃ】測定装置と汎用コンピュータの接続態様の一例を示す図である。
【発明を実施するための形態】
【００１１】
本発明の１つの実施形態における測定装置は、第１の時刻を提供する第１計時部と、第２の時刻を提供する第２計時部を備える。第１の時刻又は第２の時刻の少なくとも１つが測定時刻情報として、測定値と対応付けて記録される。測定装置は、外部から取得した基準時刻を示す情報に基づいて、第１計時部又は第２計時部、或いはその両方の時刻を修正する時刻修正部を備え、時刻修正部がどの時刻を修正対象とするかは修正制御部により制御される。
【００１２】
上記構成によれば、測定時刻を提供するための計時部を複数設けて、これら複数の計時部の時刻のうちいずれの時刻を、外部から取得した基準時刻の情報に基づく修正の対象とするかを制御することができる。そのため、例えば、外部から取得した基準時刻を示す情報に基づいて修正した時刻と修正しない時刻とを並行して計時する動作や、複数の時刻すべてを基準時刻に合わせる動作を、状況に応じて切り替えることが可能になる。その結果、ユーザによる時刻設定の操作を簡素化できる。すなわち、測定器において正確な測定時刻の記録を維持するために求められるユーザの設定操作を簡素化することができる。
【００１３】
前記修正制御部は、前記外部から取得した情報が示す基準時刻と前記第１の時刻との差に基づいて、前記修正対象の時刻を制御することができる。外部から取得した情報が示す基準時刻と前記第１の時刻との差を用いて修正対象の時刻を制御することにより、状況に応じて修正対象とする時刻を制御することが可能になる。
【００１４】
前記修正制御部は、ユーザからの入力に基づいて、前記時刻修正部の修正対象の時刻を決定することができる。これにより、ユーザは、状況に応じて修正対象とすべき時刻を選択し、決定することができる。また、ユーザは修正対象の時刻を選択するという簡単な操作により、状況に応じた時刻設定をすることができる。
【００１５】
前記修正制御部は、前記外部から取得した情報が示す基準時刻と前記第１の時刻との差が、予め決められた値より大きい場合に、前記時刻修正部による修正対象をいずれにするかの指示をユーザから受け付けることができる。
【００１６】
この構成により、時刻の設定が必要になった場合にユーザからの指示を受け付けることができる。そのため、ユーザからの修正対象の指示を、適切なタイミングで受け付けることができる。また、ユーザは、修正対象の指示を入力することで、第１計時部又は第２計時部の時刻が修正されたことを知ることができる。
【００１７】
前記時刻修正部は、前記測定装置が外部機器と有線又は無線により接続されたことを契機として、前記外部機器から基準時刻を示す情報を取得することができる。これにより、外部機器との接続を契機として時刻の修正ができる。そのため、外部からの情報取得やユーザからの指示入力が得られやすいタイミングで時刻の修正を実行することができる。
【００１８】
前記時刻修正部は、測定装置が、測定を行うためのセンサと有線又は無線により接続されたことを契機として、外部から基準時刻を示す情報を取得することができる。この構成により、センサとの接続を契機として時刻の修正ができる。そのため、センサを用いた測定の前に、時刻の修正を実行することができる。
【００１９】
前記測定装置は、前記記録制御部が測定時刻情報として前記測定値と対応付けて記録する時刻を、前記第１の時刻、前記第２の時刻、又は、前記第１の時刻及び前記第２の時刻の双方のうち、どれにするかを切り替える切替部をさらに備える構成であってもよい。
【００２０】
この構成により、測定時刻として記録する時刻を、状況に応じて制御することができる。例えば、外部から取得した基準時刻と第１の時刻との差、又は、第１の時刻と第２の時刻との差に応じて、第１の時刻及び第２の時刻の双方を記録するか、又は、いずれか一方を記録するかを切り替えることができる。
【００２１】
前記切替部は、前記第１の時刻と前記第２の時刻との差が所定の値より大きい場合に、前記第１の時刻及び前記第２の時刻の双方を測定値と対応付けて記録するように切り替えることができる。
【００２２】
これにより、測定時刻として記録する時刻を自動的に切り替えることが可能になる。例えば、前記所定の値を想定され得る時差に対応して設定することにより、第１の時刻と第２の時刻との差が、時差である可能性が高い範囲では、第１の時刻と第２の時刻の双方を測定情報として測定値に対応付けて記録するように制御することが可能になる。
【００２３】
前記修正制御部は、前記外部から取得した情報が示す基準時刻と前記第１の時刻との差が、予め決められた値Ｔ１より大きい場合は、前記修正部による修正対象を前記第１の時刻のみとし、前記差が、前記値Ｔ１より小さい場合は、前記修正部による修正対象を前記第１の時刻及び前記第２の時刻とするか又はいずれも修正しないとする構成であってもよい。
【００２４】
このように、閾値を基準として、修正対象を第１の時刻のみとするか、第１の時刻及び第２の時刻の両方とするかを決定することで、外部から取得した基準時刻とずれの程度に応じて自動的に修正対象とする時刻を切り替えることができる。例えば、前記値Ｔ１を想定され得る時差に対応して設定することにより、第１の時刻と外部から取得した基準時刻との差が時差である可能性のある場合は、基準時刻に合わせて修正された第１の時刻と、そのような修正はされない第２の時刻の双方を並行して計時するように制御できる。
【００２５】
前記修正制御部は、前記第１の時刻と前記第２の時刻との差が前記値Ｔ１より大きい状態のときに前記基準時刻に基づいて前記第１の時刻を修正すると前記第１の時刻と前記第２の時刻の差が予め決められた値Ｔ２より小さくなる場合に、前記第１の時刻と前記第２の時刻の双方を前記基準時刻に基づいて修正するように前記時刻修正部を制御する構成であってもよい。
【００２６】
上記構成により、基準時刻と第１の時刻とのずれが前記値Ｔ１より大きくなったために修正した第１の時刻を、そのずれの原因がなくなったときに、修正前の状態へ戻すことができる。例えば、測定器が、出発地から時差がある地域に移動し、また出発地へ戻ってきた場合等に、第１の時刻を出発地の時刻に戻すことができる。なお、上記値Ｔ１と上記値Ｔ２は、同じ値であってもよい。
【００２７】
前記測定装置は、過去に記録した測定時刻と、前記第１の時刻又は前記第２の時刻を比較することにより、前記第１計時部又は前記第２計時部の提供する時刻に異常がないか判定し、異常があると判定した場合は、前記時刻修正部へ時刻修正の指示を出力する監視部をさらに備えた構成とすることができる。
【００２８】
上記構成により、第１計時部及び第２計時部の計時機能を自動的にチェックするセルフチェック機能を測定装置に設けることができる。
【００２９】
本発明の一実施形態における測定装置は、第１の時刻を示す情報を提供する第１計時部と、第２の時刻を示す情報を提供する第２計時部と、測定値を取得して、前記第１の時刻又は前記第２の時刻の少なくとも１つを測定時刻情報として、前記測定値と前記測定時刻情報を対応付けて記録する記録制御部と、外部から取得した基準時刻を示す情報に基づいて、修正対象の時刻を、前記第１計時部が提供する前記第１の時刻、前記第２計時部が提供する前記第２の時刻、又は、前記第１の時刻及び前記第２の時刻の双方を修正する時刻修正部とを備え、前記時刻修正部は、修正対象とする時刻を、外部から取得した制御情報に基づいて決定する。
【００３０】
このように、測定装置における判断処理を外部で実行してもよい。
【００３１】
本発明の一実施形態における測定方法は、第１の時刻を示す情報を提供する第１計時部と、第２の時刻を示す情報を提供する第２計時部と通信可能なコンピュータにより実行される測定方法であって、測定値を取得して、前記第１の時刻又は前記第２の時刻の少なくとも１つを測定時刻情報として、前記測定値と前記測定時刻情報を対応付けて記録する記録制御ステップと、外部から取得した基準時刻を示す情報に基づいて、前記第１計時部が提供する前記第１の時刻、前記第２計時部が提供する前記第２の時刻、又は、前記第１の時刻及び前記第２の時刻の双方を修正する時刻修正ステップと、前記時刻修正ステップにおいて前記基準時刻を示す情報に基づいて時刻を修正する際に、修正対象とする時刻を制御する修正制御ステップとを有する。
【００３２】
本発明の一実施形態における測定プログラムは、第１の時刻を示す情報を提供する第１計時部と、第２の時刻を示す情報を提供する第２計時部と通信可能なコンピュータにより実行させる測定プログラムであって、測定値を取得して、前記第１の時刻又は前記第２の時刻の少なくとも１つを測定時刻情報として、前記測定値と前記測定時刻情報を対応付けて記録する記録制御処理と、外部から取得した基準時刻を示す情報に基づいて、前記第１計時部が提供する前記第１の時刻、前記第２計時部が提供する前記第２の時刻、又は、前記第１の時刻及び前記第２の時刻の双方を修正する時刻修正処理と、前記時刻修正処理において前記基準時刻を示す情報に基づいて時刻を修正する際に、修正対象とする時刻を制御する修正制御処理とをコンピュータに実行させる。なお、このようなプログラムを記録した記録媒体も本発明の実施形態の一つである。
【００３３】
[実施形態１]
（測定装置の構成例）
図１は、本発明の実施形態１における測定装置の構成例を示す機能ブロック図である。図１に示す例では、測定装置１０は、第１計時部１、第２計時部２、制御部４、測定部５、及び記録部６を備える。制御部４は、記録制御部４１、時刻修正部４２及び修正制御部４３を含む。第１計時部１は、第１の時刻を計時し、第２計時部２は、第２の時刻を計時する。測定部５は、例えば、センサ１１で得られる情報に基づく測定値を制御部４へ提供する。記録制御部４１は、例えば、測定部５から測定値を取得して測定時刻情報を対応付けて記録する。このとき、記録制御部４１は、第１計時部１から提供される第１の時刻又は第２計時部２から提供される第２の時刻をうち少なくとも１つを測定時刻情報として取得して測定値と対応付けて記録することができる。
【００３４】
時刻修正部４２は、測定装置１０の外部から取得した基準時刻を示す情報に基づいて、第１計時部１が提供する第１の時刻、第２計時部２が提供する第２の時刻、又は、第１の時刻及び第２の時刻の双方を修正する。どの時刻を修正対象とするかは、修正制御部４３により制御される。
【００３５】
第１計時部１及び第２計時部２は、例えば、水晶振動子を用いてクロック信号を自己生成し、時刻を計数することができる。第１計時部１及び第２計時部２それぞれで独立してクロック信号を生成して計時する構成であってもよいし、１つのクロック信号を第１計時部１及び第２計時部２が共有する構成であってもよい。第１計時部１は第１の時刻の記憶領域（記憶手段）を、第２計時部２は、第２の時刻の記憶領域をそれぞれ有する構成とすることができる。また、第１計時部１及び第２計時部２のいずれか一方は、他方の時刻との差分を記憶しておき、他方の計時部が提供する時刻にその差分を加算した時刻を提供する構成とすることもできる。
【００３６】
第１計時部及び第２計時部が提供する第１の時刻及び第２の時刻には、時、分、秒のみならず、年、月、日を示す情報が含まれてもよい。例えば、第１計時部及び第２計時部は、現在の年、月、日、時、分を示す情報を提供するカレンダー機能を備えることができる。この場合、測定装置１０は、２つのカレンダーを有することになる。なお、本実施形態は、２つの計時部が設けられる構成であるが、計時部が３つ以上設けられる構成であってもよい。
【００３７】
測定部５は、測定を行って測定値を生成する構成であってもよいし、外部から測定値を取得する構成であってもよい。例えば、測定部５は、センサ１１から測定結果を示す電圧信号を受け取ってＡＤ変換し、測定値を示す測定データを生成して、制御部４へ供給することができる。あるいは、測定部５は、センサ１１等の外部機器から測定値を受信して制御部４へ渡す構成であってもよい。記録制御部４１は、例えば、測定値を取得した時点で第１計時部１及び／又は第２計時部２で計時された時刻を測定時刻として取得する。記録制御部４１は、測定値を、測定時刻を示す情報とともに時系列データとして記録部６へ記録する。
【００３８】
時系列データは、値と時刻（例えば、測定値と測定時刻）を含むレコードが時系列に従って並んだ構成とすることもできるし、値と時刻が対応可能な状態でそれぞれ独立して記録される構成であってもよい。時系列データの形式も特定のものに限定されない。また、時刻を示す情報は、時刻そのもの、例えば、年月日時分秒を特定するデータであってもよいし、ある時点に対する相対的な時間を示すデータであってもよい。このような相対的な時間の例として、前回測定時からの経過時間、又は、ある基準時点からの経過時間などが挙げられる。
【００３９】
例えば、記録制御部４１は、常に、第１の時刻及び第２の時刻の双方を測定時刻として、測定値に対応付けて記録する構成とすることができる。或いは、後述するように、記録する測定時刻を、第１の時刻、又は第２の時刻もしくはその両方のいずれかに切り替える切替部が設けられる構成であってもよい。
【００４０】
なお、測定部５の測定対象は、特定のものに限定されない。すなわち、測定部５には、測定時刻と対応付けてともに記録することができる測定値を生成又は取得する機能を持つあらゆる種類のものが含まれる。本実施形態では、一例として、測定装置１０に着脱可能なセンサ１１から得られる信号又はデータを基に測定部５が測定値を生成する形態を説明する。
【００４１】
時刻修正部４２は、外部から基準時刻を示す情報を取得する手段として、例えば、時刻情報を含む信号電波を受信する信号電波受信部、又は、測定装置１０と通信可能な外部機器から時刻情報を受け取る時刻情報取得部の少なくともいずれかを備えることができる。また、時刻修正部４２は、ユーザから時刻情報の入力を受け付けるユーザ時刻設定部をさらに備えてもよい。この場合、ユーザにより指定された時刻を基準時刻とすることができる。時刻修正部４２は、常に外部から基準時刻を示す情報を受信する必要は必ずしもない。例えば、予め決められた周期で時刻情報を含む信号電波を受信する構成であってもよいし、或いは、外部機器と接続されたときに外部機器から時刻情報を取得する構成であってもよい。
【００４２】
時刻修正部４２が外部から取得する基準時刻を示す情報は、例えば、正確な現在時刻を示す情報とすることができる。一例として、原子時計を搭載した衛星から発信された信号電波であって、原子時計の時刻を示す情報を含む信号電波を受信することで、正確な現在時刻を示す情報を取得することができる。又は、そのような信号電波に基づいて時刻を補正しつつ計時する時計を備えた装置から、現在時刻を示す情報を取得することもできる。
【００４３】
修正制御部４３は、時刻修正部４２による修正対象を制御する。例えば、時刻修正部４２による修正対象を、第１計時部１の時刻、第２計時部２の時刻、又はその両方とするか、或いはいずれも修正対象としないかを決定し、時刻修正部４２へ通知することができる。修正制御部４３は、時刻修正部４２が外部から取得した情報が示す基準時刻と、前記情報の取得した時点で第１計時部１が計時した第１の時刻との差に基づいて、修正対象の時刻をどれにするか決定することができる。例えば、外部から取得した基準時刻と第１の時刻の差が予め決められた値より大きい場合に、第１の時刻のみを修正対象とするよう決定することができる。
【００４４】
或いは、修正制御部４３は、基準時刻と第１の時刻との差が、予め決められた値より大きい場合に、時刻修正部４２による修正対象をいずれにするかの指示をユーザから受け付けることができる。例えば、ユーザに対して、（ｉ）第１の時刻及び第２の時刻ともに基準時刻に更新する、（ｉｉ）第１の時刻及び第２の時刻のいずれも更新しない、（ｉｉｉ）第１の時刻又は第２の時刻のどちらか一方を基準時刻に更新する、のいずれかの選択を促す画面を表示することができる。
【００４５】
このように、修正制御部４３が、ユーザから指示を受け付けて修正対象を決定するように動作する（手動設定）か、又は、自動的に修正対象を決定するよう動作する（自動設定）かを切り替え可能とすることもできる。この場合、ユーザが、予め、手動設定か自動設定かを選択して指示できるように構成されてもよい。
【００４６】
修正制御部４３は、例えば、時刻修正部４２が外部から基準時刻を示す情報を取得したタイミングで、修正対象の時刻を判断することができる。すなわち、外部から基準時刻を示す情報を取得したことを契機として修正対象を決定することができる。例えば、外部から基準時刻を示す情報を取得したときに、ユーザからの、修正対象をどれにするかの指示を受け付けることができる。時刻修正部４２が外部から情報を取得するタイミングとしては、例えば、外部機器に接続されたとき、測定を行うセンサ１１が装着されたとき、或いは、ユーザがマニュアル操作でカレンダーの設定を行ったとき等が挙げられる。
【００４７】
上記測定装置１０は、１台又は複数のコンピュータにより構成することができる。制御部４の記録制御部４、時刻修正部４２、及び修正制御部４３は、コンピュータが備えるプロセッサが所定のプログラムを実行することによって実現することができる。例えば、上記測定装置１０には、マイクロコントローラを組み込むことができる。このようなマイクロコントローラは、一例として、センサ１１から送られる電圧信号をＡＤ変換して測定データを生成する測定部５と、制御部４を構成するコアプロセッサ、並びに、第１計時部１及び第２計時部２を構成するリアルタイムクロックを含む構成とすることができる。例えば、第１計時部１、第２計時部は、専用の記憶部を有し、制御部４とは別の電源から電力供給を受けて独立して動作する構成であってもよい。或いは、制御部４が備えるタイマと記録部によって第１計時部１及び第２計時部２を構成することもできる。なお、測定装置１０の構成は上記例に限られない。例えば、測定部５、第１計時部１、第２計時部２及び記憶部６の少なくとも１つがマイクロコントローラに含まれる構成とすることができる。
【００４８】
測定装置１０の記録部６は、メモリやハードディスクなどの記録装置を用いることができる。記録部６は、測定装置１０に内蔵されてもよいし、測定装置１０とは独立して外部に設けられてもよい。コンピュータを、記録制御部４１、時刻修正部４２、及び修正制御部４３、として機能させるプログラムやそれを記録した非一時的(non-transitory)な記録媒体も、本発明の実施形態に含まれる。なお、上記例では、測定装置１０は、１台の装置で構成されているが、測定装置１０を複数の装置で構成することもできる。例えば、第１計時部１、第２計時部２、記録制御部４１、時刻修正部４２、修正制御部４３、及び測定部５は、複数の装置に分散して構成されてもよい。また、測定装置１０は、上記以外の機能部を備えてもよい。例えば、測定装置１０は、ユーザに画面を表示するための表示部、及びユーザがデータを入力するためのボタン、タッチパネル等の入力部を含むユーザインタフェースを備えることができる。
【００４９】
測定装置１０は、一例として、携帯型測定器とすることができる。この場合、測定装置１０は、例えば、外部機器であるコンピュータと有線又は無線により通信可能に構成され、時刻修正部４２は、コンピュータの時計の時刻を、基準時刻として、第１計時部１及び第２計時部２の時刻を修正することができる。外部機器のコンピュータとしては、例えば、ＰＣ、タブレット、スマートフォン、携帯電話、ＰＤＡ、携帯ゲーム機等が挙げられるがこれらに限定されない。また、外部機器と測定装置１０との通信方式も特定のものに限定されない。
【００５０】
また、測定装置１０は、例えば、携帯型の血糖値計（グルコメータ）等のような、医療機器とすることができる。このように、測定データにおいて、測定時刻の情報が重要な意味を持つ測定装置に本発明を適用すると、効果が顕著に現れる。
【００５１】
（測定装置の動作例１）
図２は、図１に示す測定装置１０の測定部５の動作例を示すフローチャートである。図２に示す例では、まず、記録制御部４１は、測定部５から測定値を取得する（Ｓ１）。例えば、測定部５は、センサ１１から受け取った信号に基づいて測定値を生成し、記録制御部４１へ供給することができる。記録制御部４１は、Ｓ１で測定値を取得した時点に第１計時部１が出力した第１の時刻を測定時刻として取得する（Ｓ２）。そして、記録制御部４１は、Ｓ１で取得した測定値とＳ２で取得した測定時刻とを対応付けて記録部６へ記録する。
【００５２】
図３は、図１に示す測定装置１０の時刻修正部４２及び修正制御部４３の動作例を示すフローチャートである。図３に示す例では、時刻修正部４２は、基準時刻を示す情報を取得する（Ｓ１１）。例えば、時刻修正部４２は、基準時刻を示す情報を含む信号電波を受信してもよいし、外部機器から基準時刻を示すデータを受信してもよい。修正制御部４３は、第１計時部１の第１の時刻又は第２計時部２の第２の時刻のいずれか一方を、基準時刻を用いて修正にするか、両方ともする修正するか、又は、両方とも修正しないかを決定する（Ｓ１２）。
【００５３】
Ｓ１２において、修正制御部４３は、例えば、第１の時刻と基準時刻との差及びユーザからの入力指示に基づいてこの決定を実行することができる。具体的には、修正制御部４３は、第１の時刻と基準時刻との差が予め決められた値より大きい場合に、ユーザが、修正対象の時刻を選択可能な画面を表示し、ユーザからの選択を受け付けることができる。ユーザから選択された時刻を測定時刻として決定する。あるいは、修正制御部４３は、ユーザからの選択は受け付けずに、第１の時刻と基準時刻との差に応じて、修正対象を決定することもできる。例えば、修正制御部４３は、第１の時刻と基準時刻との差が予め決められた値より大きい場合に、第１の時刻のみを修正対象とし、前記差が前記値より小さい場合は、修正はしないように決定することができる。Ｓ１２において、ユーザからの選択に基づいて修正対象を決定することにより、ユーザによる状況判断により、より適切な選択が可能になる。一方、ユーザからの選択を受け付けず自動的に修正対象を決定する場合は、ユーザ操作をより簡素することができる。
【００５４】
時刻修正部４２は、Ｓ１２において修正制御部４３が決定した修正対象の時刻を、基準時刻を基に修正をする（Ｓ１３）。例えば、Ｓ１２で第１の時刻のみ修正対象とすることが決定された場合、時刻修正部４２は、第１の時刻を基準時刻に合わせるように修正することができる。
【００５５】
（測定装置の動作例２）
図４は、測定装置１０の時刻修正部４２及び修正制御部４３の他の動作例を示すフローチャートである。図４に示す例では、センサ１１が測定装置１０に装着された場合（Ｓ２１）と、測定装置１０が外部機器であるデバイスαに接続された場合（Ｓ２３）に、時刻修正部４２が基準時刻を取得する。すなわち、センサの装着又は外部機器の接続がトリガとなって、基準時刻が取得され、時刻の修正が実行される。
【００５６】
なお、本例では、時刻修正の実行を判断するための値と、修正対象の選択をユーザの設定操作なしで自動で行うか、ユーザの設定操作により手動で行うかを示すデータを、予め設定しておく。例えば、測定装置１０又はデバイスαにおいて、ユーザから、上記値と、自動か手動かを示すデータの入力を受け付け、測定装置１０の記録部６へ記録しておくことができる。
【００５７】
Ｓ２１でセンサ１１の装着が検出されると、この検出を契機として、時刻修正部４２の信号電波受信部が動作を開始し、信号電波を受信する。これにより、時刻修正部４２は、正確な現在時刻を示す情報を、基準時刻を示す情報として取得する（Ｓ２２）。修正制御部４３は、基準時刻と第１計時部１で計時している第１の時刻との差が、予め設定された値（ここでは一例として、閾値Ｔ１とする）以上か否かを判断する（Ｓ２５）。同様に、Ｓ２３で測定装置１０がデバイスαに接続されたことが検出されると、この検出を契機として、時刻修正部４２は、デバイスαの時計が示す時間情報の取得を開始する（Ｓ２４）。例えば、デバイスαの時計が示す現在時刻を、基準情報として取得することができる。その後、Ｓ２５において、基準時刻と第１の時刻との差が、閾値Ｔ１以上か否かが判断される（Ｓ２５）。
【００５８】
前記差が、閾値Ｔ１より小さい（Ｓ２５でＮＯ）場合、時刻の修正は実行しない（Ｓ２７）。前記差が、閾値Ｔ１以上（Ｓ２５でＹＥＳ）の場合、修正制御部４３は、事前に設定された修正対象の選択手法が、自動か手動かを判断する（Ｓ２６）。手動設定の場合は、修正制御部４３は、ユーザが修正対象を選択するための画面を、測定装置１０又はデバイスαのディスプレイに表示する（Ｓ２９）。これにより、ユーザからの修正対象の指示を受け付けることができる。一例として、図４に示すメッセージＭ１のようなクエリーを画面に表示することができる。この例では、第１の時刻はカレンダーＡ、第２の時刻はカレンダーＢとして表現される。修正対象の選択肢は、Ａ、Ｂともに更新、Ａ、Ｂともに更新しない、及び、Ａ、Ｂのいずれかを更新、の３つである。
【００５９】
修正制御部４３は、Ｓ２９においてユーザから受け付けた選択のとおり修正対象を決定し、時刻修正部４２へ通知する。時刻修正部４２は、ユーザが選択した修正対象の時刻、すなわち、カレンダーを、基準時刻に合わせる修正を実行する。
【００６０】
修正対象の選択が自動と設定されていた場合（Ｓ２６で自動設定と判断された場合）、修正制御部４３は、例えば、第１の時刻及び第２の時刻のどちらか一方（本例ではカレンダーＡ、Ｂのどちらか一方）、又はその両方（本例では、カレンダーＡとＢ両方）を修正対象として決定することができる。ここで、修正対象を第１の時刻及び第２の時刻のいずれか一方にするか、又は、両方にするかは、事前に設定しておくことが可能である。
【００６１】
図４に示す測定装置１０の動作により、例えば、ユーザが測定装置１０を持って海外へ移動した場合や、何かのトラブルでカレンダー機能と実際の日時に差が発生してしまった場合などには、その海外の現地に合わせた日時、又は正しい日時に変更することが可能となる。この日時の変更の際、移動前（日時変更前）のカレンダー情報も保持しておきたい場合があると想定される。本例では、測定装置１０には２つ以上（本例では、カレンダーＡ、Ｂの２個）のカレンダー記憶領域が設けられ、ユーザは、例えば、図４のＭ１に示す３モード((i)〜(iii))から動作を選ぶことができる。これにより、ユーザの状況に応じて適切に時刻を修正することができる。例えば、ユーザが測定装置１０を持って海外へ移動した場合に、カレンダーＡ（第１の時刻）を移動先の時刻に合わせるとともに、移動前の時刻も、カレンダーＢ（第２の時刻）で保持することができる。また、ユーザは、閾値Ｔ１を事前に設定することもできるため、例えば、頻繁に行く海外の地域の時差に合わせて閾値Ｔ１を設定する等により、時差による時刻修正の要否をより適切に判断することができる。なお、この閾値Ｔ１は、時差認識機能を稼動させる最短時間として設定することもできる。
【００６２】
なお、図４に示す動作は一例であって、測定装置１０の動作はこれに限定されない。例えば、後述するように、実際に測定値を取得した際、カレンダーＡ／Ｂどちらの時刻情報と測定値を紐付けて記録しておくのか、もしくはカレンダーＡ及びＢ両方の時刻情報と測定値を紐付けて記録しておくのか、をユーザが選べるようにすることもできる。さらに、時差による計時部の時刻を自動的に判断して、修正対象の時刻の切り替えを自動的に実行することで、ユーザの選択操作を省略することもできる（例えば、図５に示す動作例）。
【００６３】
（測定装置の動作例３）
図５は、測定装置１０の時刻修正部４２及び修正制御部４３のさらに他の動作例を示すフローチャートである。図５に示す例では、時刻修正部４２は、信号電波、外部機器又はユーザ入力等により、基準時刻を取得する（Ｓ３１）。修正制御部４３は、基準時刻と第１の時刻との差が、予め決められた閾値Ｔ１以上か否かを判断する（Ｓ３２）。基準時刻と第１の時刻との差が閾値Ｔ１より小さい場合（Ｓ３２でＮＯの場合）は、時刻の修正は行わない（Ｓ３６）。なお、Ｓ３６で、修正制御部４３は、第１の時刻及び第２の時刻の双方を修正対象と決定し、時刻修正部４２は、第１の時刻及び第２の時刻双方を基準時刻に合わせる修正をしてもよい。
【００６４】
Ｓ３２でＹＥＳの場合、修正制御部４３は、修正対象を第１計時部１の計時する第１の時刻のみと決定し、時刻修正部４２は、その決定に従って、第１の時刻を基準時刻に合わせる修正する（Ｓ３３）。
【００６５】
修正制御部４３は、Ｓ３３で修正した第１の時刻と第２の時刻との差が予め決められた値（ここでは一例として、閾値Ｔ２とする）より小さく、かつ、Ｓ３３の修正前の第１の時刻と第２の時刻との差が閾値Ｔ１以上である場合（Ｓ３４及びＳ３５でＹＥＳの場合）、第２の時刻も修正対象と決定して、時刻修正部４２は、第２の時刻も基準時刻に合わせる修正をする（Ｓ３７）。これにより、修正制御部４３は、修正前の第１の時刻と第２の時刻との差が閾値Ｔ１より大きい状態のときに基準時刻に基づいて第１の時刻を修正すると第１の時刻と第２の時刻の差が閾値Ｔ２より小さくなる場合に、第１の時刻と前記第２の時刻の双方を基準時刻に基づいて修正するように時刻修正部４２を制御することができる。なお、本例では、修正後の第１の時刻と第２の時刻との差の判定（Ｓ３４の判断）で用いる閾値Ｔ２と、修正前の第１の時刻と第２の時刻との差の判定（Ｓ３５の判断）で用いる閾値Ｔ１とを、別々のパラメータとして設けているが、これら閾値Ｔ１及び閾値Ｔ２は、１つのパラメータとして同じ値を設定することもできる。
【００６６】
図５に示す動作例によれば、例えば、国外に移動した際に、時差の分だけ第１の時刻のみを修正した後、国内に戻ったときには、第１の時刻も第２の時刻も双方とも国内の時間に合わせることができる。すなわち、国外にいる間は、第１の時刻で現地時間を、第２の時刻で国内の時間を計時し、帰国した後は、第１の時刻も第２の時刻も国内の時間を計時するよう動作させることができる。具体的には、国外に移動することにより閾値Ｔ１より大きい時差が生じた場合、図５のＳ３２でＹＥＳと判断され、Ｓ３３で第１の時刻のみ現地時刻に合わせて修正され、Ｓ３５でＮＯと判断されるので、第２の時刻は国内の時刻のままとなる。そして、帰国したときは、Ｓ３２、Ｓ３４、Ｓ３５でＹＥＳと判断され、第１の時刻も第２に時刻も国内の時刻に合わせて修正されることになる（Ｓ３３、Ｓ３７）。
【００６７】
[実施形態２]
図６は、実施形態２における測定装置の構成例を示す機能ブロック図である。図６において、図１と同じブロックには同じ番号が付されている。図６に示す例では、測定装置１０は、切替部７をさらに備えている。切替部７は、記録制御部４１が測定時刻として測定値と対応付けて記録する時刻を、第１の時刻、第２の時刻、又は、第１の時刻及び前記第２の時刻の双方のうち、どれにするかを切り替える。切替部７は、例えば、第１の時刻と第２の時刻との差、又は、第１の時刻と基準時刻との差に基づいて、切り替えを実行することができる。一例として、切替部７は、第１の時刻と第２の時刻との差が所定値以上の場合に、第１の時刻及び第２の時刻の双方を測定値と対応付けて記録するように切り替えることができる。
【００６８】
切替部７は、例えば、第１の時刻及び第２の時刻それぞれについて、測定時刻として記録するか否かを示すデータ、（例えば、フラグ等）を記録しておき、記録制御部４１がこのデータを参照することにより、第１計時部１から提供される第１の時刻と、第２計時部２から提供される第２の時刻それぞれについて、測定時刻として記録するか否かを判別することができる。
【００６９】
図７は、実施形態２における測定装置１０の時刻修正部４２、修正制御部４３及び切替部７の動作例を示すフローチャートである。図７に示す例では、測定装置１０が外部機器の一例であるデバイスαに接続されたことが検出されると（Ｓ４１）、修正制御部４３は、測定装置１０の第１計時部１が計時する第１の時刻と、デバイスαが備える計時部の計時する時刻とを比較する（Ｓ４２）。これらに差がある場合（Ｓ４３でＹＥＳ）、修正制御部４３は、その差が予め設定された値（ここでは一例として、閾値Ｔ１とする）以上であるか否かを判断する（Ｓ４４）。差が閾値Ｔ１以上の場合（Ｓ４４でＹＥＳの場合）、修正制御部４３は、ユーザから修正対象の時刻をどれにするかの選択を受け付ける（Ｓ４５）。Ｓ４５は、例えば、図４のＳ２９と同様に、ユーザが修正対象を選択可能な画面を表示し、入力を受け付ける処理とすることができる。修正制御部４３は、ユーザの選択に応じて、修正対象を決定する（Ｓ４６、Ｓ４７、Ｓ４８）。
【００７０】
切替部７は、測定時刻として記録する時刻を、第１の時刻、第２の時刻、あるいはその両方のいずれにするかを決定する（Ｓ４９）。切替部７は、ユーザからの選択を受け付けて、ユーザの選択にしたがって記録するカレンダーを決定するができる。この場合の切替部７の動作例を図８Ａに示す。或いは、切替部７は、第１の時刻と第２の時刻との差、又は、第１の時刻と基準時刻との差に基づいて自動的に、どの時刻を測定時刻として記録すべきかを決定することもできる。この場合の切替部７の動作例を図８Ｂに示す。図８Ａ及び図８Ｂは、いずれも、切替部７の動作例を示すフローチャートである。
【００７１】
図８Ａに示す例では、切替部７は、ユーザから、測定時刻として記録すべき時刻の選択を受け付ける（Ｓ６１）。例えば、切替部７は、ユーザが記録すべき時刻を選択するための画面を表示する。ここで、カレンダーＡが第１の時刻を、カレンダーＢが第２の時刻を表すものとすると、実際に測定値を取得した際に、カレンダーＡ又はＢのどちらか一方の情報と測定値を紐付けて記憶しておくのか、もしくは、カレンダーＡ及びＢ両方の情報と測定値を紐付けて記憶しておくのか、を選べるような画面を表示することができる。
【００７２】
ユーザが、カレンダーＡ及びＢの両方の時刻を測定時刻として記録することを選択した場合（Ｓ６２でＹＥＳの場合）、切替部７は、第１の時刻及び第２の時刻の双方を測定時刻として記録する時刻として設定する。例えば、切替部７は、第１の時刻及び第２の時刻の双方を測定時刻として記録する旨を示すデータを、記録制御部４１がアクセス可能な記録部６に記録する（Ｓ６３）。ユーザがＡ又はＢのいずれか一方を記録することを選択した場合（Ｓ６２でＮＯの場合）、切替部７は、第１の時刻及び第２の時刻のいずれか一方を測定時刻として記録する時刻に設定する。第１の時刻又は第２の時刻のいずれを記録するかは、予め設定されていてもよいし、Ｓ６１にてユーザから指示を受け付けてもよい。
【００７３】
図８Ｂに示す例では、切替部７は、第１の時刻と第２の時刻の差、すなわち、本例では、カレンダーＡの時刻とカレンダーＢの時刻との差を取得する（Ｓ７１）。その差が、所定の値Ｔ３以上の場合（Ｓ７２でＹＥＳの場合）は、Ａ、Ｂ両方を測定時刻として記録するよう設定する（Ｓ６３）。Ｓ７２でＮＯの場合、切替部７は、第１の時刻及び第２の時刻のいずれか一方を測定時刻として記録する時刻として設定する。第１の時刻又は第２の時刻のいずれを記録するかは、予め決めておくことができる。また、切替部７がいずれのカレンダーの時刻を測定時刻とするかを判断するのに用いられる前記所定の値Ｔ３は、例えば、記憶部６に予め記録しておくことができる。記録された値Ｔ３をユーザが更新可能な構成とすることもできる。
【００７４】
[実施形態３]
図９は、実施形態３における測定装置の構成例を示す機能ブロック図である。図９において、図１と同じブロックには同じ番号が付されている。図９に示す例では、測定装置１０は、監視部８をさらに備えている。監視部８は、記録部６に記録された測定時刻と、第１の時刻又は第２の時刻とを比較することにより、第１計時部１又は第２計時部２の提供する時刻に異常がないか判定する。監視部８は、異常があると判定した場合は、時刻修正部４２へ時刻修正の指示を出力する。この構成により、測定装置１０に、セルフチェック機能を持たせることができる。
【００７５】
監視部８は、過去に記録された測定値の測定時刻と、第１計時部１が提供する第１の時刻とを比較し、これらの時刻の関係に矛盾がないか判断することで異常の有無を判断することができる。例えば、第１の時刻の方が記録された測定時刻より過去になっている場合には、異常がある判断することができる。又は、記録された複数の測定値の測定時刻と第１の時刻との関係が、所定の異常パターンにマッチするか否かによって異常を判断することもできる。このように、過去の測定時刻と第１計時部１が示す現在の時刻の関係が、所定の条件を満たすか否かによって異常の有無を判定することができる。第２計時部２の第２の時刻についても、第１の時刻１と同様に異常を検出することができる。
【００７６】
監視部８が異常を検出すると、時刻修正部４２へ異常を通知する。時刻修正部４２は、異常の通知を受けると、異常が検出された第１計時部１又は第２計時部２の時刻を修正するための処理を実行する。例えば、時刻修正部４２は、ユーザに対して測定装置１０の計時部の時刻が誤っている旨の警告を出力することができる。また、通知を受けた時刻修正部４２は、ユーザから、正しい時刻の設定を受け付けるか、もしくは、ユーザに外部機器への接続を促すメッセージを出力することができる。或いは、時刻修正部４２は、基準時刻の情報を含む信号電波の受信を開始し、現在時刻を示す情報を取得し、これに基づいて異常が検出された計時部の時刻を修正することもできる。時刻修正部４２が時刻を修正する際には、修正制御部４３が、修正対象を制御することもできる。
【００７７】
図１０は、実施形態３の測定装置１０の動作例を示すフローチャートである。図１０に示す例では、センサ１１の測定装置１０への挿入が検出されると（Ｓ８１）、監視部８は、前回の測定値の測定時刻と第１の時刻との比較、及びこの測定時刻と第２の時刻との比較を実行する。前回の測定値は、例えば、直近の測定値とすることができる。監視部８は、前回の測定値に対応付けて記録された測定時刻を記録部６から読み出し、第１の時刻及び第２の時刻と比較する。第１の時刻又は第２の時刻が、記録部６から読み出した測定時刻より過去になっている場合は、異常ありと判断する（Ｓ８３でＹＥＳ）。
【００７８】
Ｓ８３で異常ありと判断された場合、監視部８は、時刻修正部４２へ異常を通知する。時刻修正部４２は、ユーザに対して、時刻の異常を通知する（Ｓ８４）。測定装置１０は、例えば、文字又は音声で警告メッセージを出力することができる。メッセージの内容は、例えば、マニュアル操作による時刻の設定又は外部機器への接続を促すものとすることができる。これにより、時刻修正部４２は、ユーザによる時刻の入力又は外部機器からの時刻情報の取得により、正しい現在時刻である基準時刻を示す情報を取得することができる。なお、時刻修正部４２は、信号電波により基準時刻を取得してもよい。
【００７９】
時刻修正部４２は、異常が検出された時刻を、基準情報を用いて修正する（Ｓ８５）。Ｓ８５において、時刻修正部４２及び修正制御部４３は、上記の実施形態１又は実施形態２と同様に、修正処理を実行することができる。時刻修正処理が終わると測定装置１０は、測定モードとなり、測定部５による測定動作が可能になる（Ｓ８６）。
【００８０】
本実施形態によれば、測定装置１０にセルフチェック機能を持たせることができるので、測定装置１０をスタンドアローンで使用する場合であっても、測定装置１０が自ら異常を検出し、誤った測定装置を記録することを抑えることができる。すなわち、本実施形態のように、測定装置１０にセルフチェック機能を持たせることで、他のデバイスと接続して使用する場合だけでなく、スタンドアローンで使用する際でもユーザは安心して測定を行うことができる。また、例えば、他のデバイスと接続可能な血糖計のように、測定装置１０の本体が小さく、表示部が小さい場合、常時カレンダー情報を表示することは難しい。そのため、携帯型の測定器には、本実施形態のようなセルフチェック機能は特に有効である。なお、本実施形態を、実施形態２と組み合わせることもできる。例えば、図６に示す構成において、本実施形態の監視部８を追加することができる。
【００８１】
［実施形態４］
図１１は、実施形態４における測定装置１０の構成例を示す機能ブロック図である。図１１において、図１と同じブロックには同じ番号が付されている。図１１に示す例では、修正制御部は、外部機器２０に設けられる。測定装置１０の時刻修正部４２は、測定装置１０と通信可能な外部機器２０から、制御情報を取得し、この制御情報に基づいて、修正対象を決定し、修正する構成である。これにより、測定装置１０の構成を簡素化することができる。
【００８２】
図１１に示す例では、上記の実施形態１〜３における修正制御部４３に相当するものは、外部機器２０に設けられる。例えば、外部機器２０に設けられた修正制御部２１が、基準時刻と第１計時部１が提供する第１の時刻との差、又は、ユーザからの指示に基づいて、時刻修正部４２の修正対象とする時刻を決定する。そのため、本実施形態では、測定装置１０の時刻修正部４２は、第１計時部１の第１の時刻、及び第２計時部２の第２の時刻を、外部機器２０に送信する。また、外部機器２０の修正制御部２１は、外部機器２０が備える時計（計時部）の時刻を基準時刻として取得することができる。外部機器２０の修正制御部２１の動作は、例えば、上記実施形態１〜３における修正制御部４３と同様にすることができる。外部機器２０から測定装置１０へ送られる制御情報は、例えば、時刻修正部４２が、どの時刻を修正対象とすべきかを示す情報とすることができる。
【００８３】
また、修正制御部４３の他の測定装置１０の構成要素も、外部機器２０に設けることができる。例えば、ユーザとのデータのやり取りをするためのユーザインタフェース、時刻情報を含む信号電波を受信する信号電波受信部、実施形態３の監視部８、実施形態２の切替部７等も、外部機器２０に設けることができる。これにより、測定装置１０の構成を簡素化することができ、測定装置１０のより小型化、軽量化が可能になる。
【００８４】
［実施形態５］
実施形態５は、上記実施形態１〜４を含む本願発明を、医療機器に適用した場合の例である。
【００８５】
図１２Ａは、測定装置１０として採用可能な医療機器の例を示す斜視図である。図１２Ａに示す例では、測定装置１０は、生体の状態を計測するための医療機器、例えば、血糖値計、血圧計、乳酸値計、ケトン体測定装置、体温計、尿試験紙計、脂質測定装置、歩数計等である。測定装置１０の本体３１内部には、用途に応じた分析装置１及び検出器２が収納されている。また、測定装置１０は、手の平サイズで形成されており、例えば、患者、医師、看護師等の使用者によって携帯されることができる。
【００８６】
測定装置１０は、一例として、患者の血液の血糖値を測定する携帯型の血糖値計とすることができる。この場合、患者の血液は、センサ１１によって提供され、本体３１は、短冊状のセンサ１１を挿入するためのセンサ挿入口１２を備えている。センサ１１は内部に試薬を有しており、血液はセンサ１１内部で試薬と反応する。本体３１内部には、上述した測定部５、記録部６、第１計時部１、第２計時部２、記録制御部４１、時刻修正部４２、及び修正制御部４３が含まれる。本体３１内部の測定部５は、比色方式又は電気化学方式によって、試薬と反応した血液から血糖値を測定する機能を備えている。例えば、測定装置は、センサ１１がセンサ挿入口１２に挿入されると起動するよう構成することができる。この場合、挿入されたセンサ１１へ血液を点着されると、測定が開始される。測定結果は、記録部６に記録される。測定結果として、例えば、血糖値と測定時刻を含むレコードを、時系列に沿って順にファイルに記録することができる。また、測定結果は、本体３１に設けられた表示画面３２に表示される。このような血糖値計は、例えば、血糖自己測定（Self Monitoring of Blood Glucose : SMBG）メータとして使用することができる。なお、予め血液が点着させたセンサ１１を、測定装置のセンサ挿入口１２へ挿入した後で測定装置１０が測定を行う構成であってもよい。
【００８７】
また、測定装置１０は、外部とデータ通信するためのコネクタ１３を備える。例えば、図１２Ｂに示すように、測定装置１０のコネクタ１３は、外部機器の一例である携帯機器１４に接続可能とすることができる。携帯機器１４は、例えば、内蔵コンピュータを備えるスマートフォンとすることができる。これにより、測定装置１０と携帯機器とをデータ通信可能な構成とすることができる。また、図１２Ｃに示すように、コネクタ１３及びケーブル１６を介して測定装置１０を汎用コンピュータ１５（例えば、ＰＣ）に接続可能な構成とすることもできる。
【００８８】
また、測定装置１０と外部機器２０は無線通信可能な構成とすることができる。無線通信の方式は、特に限定されない。例えば、無線LAN、Bluetooth（登録商標）、NFC（near field communication）、赤外線通信その他の無線通信の方式を用いることができる。
【００８９】
例えば、外部機器である携帯機器やＰＣ等のデバイス上で動作しているアプリケーションにて、血糖値計の各種設定（カレンダー機能設定の他、平均値表示や低血糖アラーム、測定時間アラーム等）を行える機能を持たせることができる。通常、血糖計の多くは本体が小さいこともあって２個〜３個のボタンしか構成されていない。そのため、測定装置１０で、各種設定をマニュアルで行うのが非常にわずらわしいが、他のデバイスに搭載されているタッチパネル等の方式のユーザインタフェースを血糖値計の設定に使用することにより、血糖計のユーザーインターフェイス（特に設定操作）を劇的に進化させることが可能となる。
【００９０】
血糖自己測定メータにおいて、上記実施形態１〜４のいずれかを適用すれば、自動修正した計時部の時刻が時差などによりずれている場合も、修正後の時刻と修正前の時刻とをそれぞれ計時し測定時刻として記録しておくことができる。その結果、ユーザの複雑な操作がなくても正しい時刻を測定時刻として記録することができる。そのため、例えば、血糖自己測定メータのように、ユーザにとって設定操作が難しく、かつ、測定する日時が重要な意味を持つ測定装置では、ユーザ操作を簡素化しつつも正確な測定時刻を維持することを可能にする上記実施形態１〜４の効果が顕著に現れる。なお、測定装置１０は、血糖自己測定メータに限定されない。また、測定装置５は医療機器に限定されない。
【００９１】
［変形例］
本発明は、上記の実施形態１〜５に限定されない。例えば、上記実施形態では、修正制御部４３は、基準時刻と第１の時刻との差が予め決められた値より大きい場合に、時刻の修正を実行する例を説明したが、上記値に加えてさらに他の値を予め設定することもできる。例えば、第１の閾値Ｔ１Ａと、それより大きい第２の閾値Ｔ１Ｂを予め記録しておき、基準時刻と第１の時刻との差が、閾値値Ｔ１Ａと閾値Ｔ１Ｂとの間の場合は、第１の時刻のみ修正するよう制御することも可能である。すなわち、基準時刻と第１の時刻との差が予め決められた範囲にあるか否かに基づいて、修正対象の時刻を制御することができる。例えば、図４のＳ２５、図５のＳ３２、図７のＳ４４の判断処理では、基準時刻と第１の時刻との差がＴ１以上か否かを判断している。これらの処理において、例えば、Ｔ１の代わりに、Ｔ１Ａ及びＴ１Ｂ（Ｔ１Ａ≦Ｔ１Ｂとする）を用いて、基準時刻と第１の時刻との差が、Ｔ１ＡとＴ１Ｂとの間（Ｔ１Ａ≦差≦Ｔ１Ｂ）か否かを判断することができる。この場合、例えば、閾値Ｔ１Ａと閾値Ｔ１Ｂとの間が、想定されうる時差の範囲に対応するように設定することで、基準値と第１の時刻との差が時差である可能性が高い場合に、時差に応じた時刻の修正を実行することができる。一例として、閾値Ｔ１Ａを１時間、閾値Ｔ１Ｂを１日（２４時間）とすることで、閾値Ｔ１Ａと閾値Ｔ１Ｂの間を想定されうる時差の範囲に対応させることができる。
【００９２】
また、修正制御部４３は、例えば、基準時刻と第１の時刻との差が閾値Ｔ１Ａより小さい場合は、第１の時刻及び第２の時刻いずれも修正せず、前記差が前記閾値Ｔ１Ａとそれより大きい閾値Ｔ１Ｂ値との間の場合は第１の時刻のみ修正し、前記差が閾値Ｔ１Ｂより大きい場合は第１の時刻及び第２の時刻いずれも修正するよう制御することができる。これにより、例えば、測定時刻の精度の影響のない程度の時刻のずれは修正なしとすることで処理を軽くし、時差による時刻のずれの可能性がある範囲では第１の時刻のみ修正して、第２の時刻を、時差による修正をしない時刻として、第１の時刻と並行して計時することができる。さらに、時差による時刻のずれより大きなずれがある場合は電池切れ等による可能性が高いので、第１の時刻及び第２の時刻双方とも基準時刻に合わせることができる。
【００９３】
［実施形態の効果］
実施形態１〜５の構成例では、測定装置１０は、少なくとも２つの計時部１、２と、外部から基準時刻を示す情報を取得して計時部１、２の時刻を修正する時刻修正部４２を備え、時刻修正部４２による修正対象の時刻を修正制御部４３が制御する。これにより、必要に応じて、複数の計時部１、２で、複数の異なる時刻をそれぞれ計時するよう制御することができる。そのため、例えば、時差により基準時刻が変化した場合や、外部から取得した基準時刻の信頼性が低い場合などには、基準時刻に基づく修正をした時刻と、修正しない時刻とを並行して計時し、双方を測定時刻として記録することができる。
【００９４】
例えば、本実施形態によれば、測定装置１０が海外へ移動した場合に時差による測定時刻をずれに対応することができる。海外旅行や出張などで、時差のある国に渡航した場合、実際の測定時間と装置内部の時間が異なることとなる。この場合、従来は、その都度ユーザが設定しなおすか、気付かずに測定を行って、実際の測定時間と記録された測定時間に差が発生することになっていた。これに対して、例えば、電波時計などで使用されている技術を利用して、基準となる時刻情報を信号電波として受信して時刻を自動修正することが考えられる（例えば、上記特許文献３）。しかし、このようにメータが自動的に時刻合わせを行ってしまう場合、データ管理上、様々な不都合が生じる。例えば、出張や旅行で時差のある海外へ移動する場合、出国前の測定日時と現地着後の測定日時が前後するなどの時差が発生する場合に、出発地の時刻と移動後の現地時刻のどちらを基準に把握すればよいのかユーザが判断に窮する場合がある。また、医師などの医療従事者にとって、測定値の時差影響を正確に把握したい場合に、正確な情報を提供できない問題が生じる。そしてこのような問題は、海外へ出かける機会が糖尿病患者においても増加することが今後見込まれる中、解決しておくべき課題である。
【００９５】
そこで、上記の実施形態では、現在時刻（基準時刻）に合わせて修正した時刻も、修正しなかった時刻も並行して計時しておくことが可能になる等、２つのカレンダー機能の修正を制御することで、ユーザの設定操作を簡素化しながらも、柔軟な対応が可能になる。
【符号の説明】
【００９６】
１      第１計時部
２      第２計時部
４      制御部
４１    記録制御部
４２    時刻修正部
４３    修正制御部
５      測定部
６      記録部
４４      切替部
４５      監視部
【図１】
2014190842.tif 000003
【図２】
2014190842.tif 000004
【図３】
2014190842.tif 000005
【図４】
2014190842.tif 000006
【図５】
2014190842.tif 000007
【図６】
2014190842.tif 000008
【図７】
2014190842.tif 000009
【図８Ａ】
2014190842.tif 000010
【図８Ｂ】
2014190842.tif 000011
【図９】
2014190842.tif 000012
【図１０】
2014190842.tif 000013
【図１１】
2014190842.tif 000014
【図１２Ａ】
2014190842.tif 000015
【図１２Ｂ】
2014190842.tif 000016
【図１２Ｃ】
2014190842.tif 000017